Podtech/llm-jp-corpus-v4-ja_patent huggingface dataset:
(57)【要約】【課題】  従来はコルゲータのトリムをカッタブロアで吸引し、破砕しながらダクト内をサイクロンまで空気搬送しているが、電力使用量が大きいので省エネしたい。【解決手段】  スリッタ６で発生する段ボールシートのトリム５を搬送すべく可変速のブロア４を設け、トリム５を検知すべくセンサ３を持ち、さらにトリム５を挟んで搬送するための可変速のコンベア１およびトリム５を破砕するための可変速のカッタ２を持つ。【選択図】図１
2009119834.tif 000002
【特許請求の範囲】
【請求項１】
スリッタ（６）で発生する段ボールシートのトリム（５）を搬送すべく可変速のブロア（４）を設け、トリム５を検知すべくセンサ（３）を持ち、さらにトリム５を挟んで搬送するための可変速のコンベア（１）およびトリム５を切断するための可変速のカッタ（２）を持ったコルゲータの屑処理装置。
【発明の詳細な説明】
【技術分野】
【０００１】  本発明は、コルゲータの屑処理に関するものである。
【背景技術】
【０００２】  段ボール製造工場で、コルゲータで段ボールシートを製造する時にスリッタ６でスリットする場合、両端に段ボールの耳であるトリム５が発生するが、図３に示すように従来はコルゲータのスリッタ６の刃の近辺に吸引用ダクト（７）の入口を設け、段ボールの細い帯状のトリム５を吸引しカッタブロア（９）で破砕し、ダクト７中をサイクロン（８）まで空気搬送している。  カッタブロア９は定速の電動モータで駆動し、コルゲータのスリッタの運転に合わせ電源スイッチを人が入り切りしている。  カッタブロア９は段ボールのトリムを破砕し、かなりの距離を空気搬送するためモータの電気容量は大きい。
【発明の開示】
【発明が解決しようとする課題】
【０００３】  現在はコルゲータのスリッタ６によりトリム５が発生する場合、カッタブロア９で処理しているが、カッタブロア９は大きな電力を消費する。  処理する段ボールのトリム５は原紙をなるべく無駄にしないように選択するので巾が狭く重量も軽いにもかかわらず、カッタブロア９で粉砕し空気搬送する場合には効率が悪くモータの使用電力量は大きい。
【課題を解決するための手段】
【０００４】  スリッタ６で発生する段ボールシートの連続したトリム５を空気搬送すべく可変速のブロア４を設け、トリム５を検知すべくセンサ３を持ち、さらにトリム５を挟み込んで引っ張るための可変速のコンベア１およびトリムを破砕する可変速のカッタ２を持つ。
【発明の効果】
【０００５】  最初はトリム５を高速回転のブロア４で吸引し、コンベア１に到達後挟んでコルゲータに同期した速度で引っ張った後、ブロア４の回転数を下げて搬送のアシストとし、カッタ２でコルゲータに同期した速度で切断すると効率的で、大幅に消費電力が減り省エネになると同時に、温暖化ガスである二酸化炭素の排出量を減少させることができる。
【発明を実施するため最良の形態】
【０００６】  図１に本発明に基づいたコルゲータのスリッタ６で発生する連続したトリム５の屑処理システムの概念図を示す。  コルゲータのスリッタ６で発生した段ボールの耳であるトリム５はシートの両端から発生し、ブロア４でダクト７の入口から吸引した後合流する。コンベア１およびカッタ２はコルゲータの速度に同期させるが、コンベア１は構造的には図２に示すように上下に分割してあり２本のトリム６を挟み込む。  運転開始時にはブロア４を高速回転しその吸引力のみでトリム５を搬送するが、センサ３でトリム５の先端を検出しコンベア１およびカッタ２を起動し、コンベア１で挟み込んだ後はブロア４を低速度に切替え、搬送のアシストをする。  初期のトリム５の到達後は、コンベア１でトリム５を挟み込んでコルゲータと同速度で送り、カッタ２で切断した後、慣性力でサイクロン８に放り込む。  コンベア１、カッタ２およびブロア４はインバータで速度を可変とする。
【実施例１】
【０００７】  図１にンステムの概念図を、図２に稼動部の概念図を示す。  稼動部はサイクロン８の直前に設ける。  ブロア４の吸引口は稼動部のケーシングに設け、排出口はサイクロンに接続する。  スリッタ６により段ボールシートの両端で発生したトリム５はダクト７の入口からブロア４で吸引されるが途中で合流し、ダクト７の中に設けた１組のセンサ３でトリム５の先頭を検出するとコルゲータと同速度でコンベア１およびカッタ２は運転し、コンベア１は２本のトリム５を挟み込みカッタ２で切断し、屑は慣性力でサイクロン８に放り込む。
【産業上の利用可能性】
【０００８】  本発明のコルゲータのトリムの屑処理装置は、連続したトリムを効率の良くないカッタブロア９で搬送、破砕処理し大きな電力を必要とした従来の装置から、電力の消費量および二酸化炭素発生量を大幅に削減しようとするもので効果も大きいと考えられ、装置もシンプルでコンパクトで小型なので高価でなく広く普及可能と考える。
【図面の簡単な説明】
【０００９】
【図１】  本発明の屑処理システムの概念図である。
【図２】  稼動部の概念図である。
【図３】  従来の屑処理システムの概念図である。
【符号の説明】
【００１０】    １  コンベア
２  カッタ
３  センサ
４  ブロア
５  トリム
６  スリッタ
７  ダクト
８  サイクロン
９  カッタブロア
【図１】
2009119834.tif 000003
【図２】
2009119834.tif 000004
【図３】
2009119834.tif 000005
(57)【要約】【課題】従来、個人情報保護のために文字を手軽に消す方法として、シュレッダーの他にスタンプ・浸透印が用いられてきました。しかし、文字を消す範囲が広いため、印面が限られた平面であるスタンプ・浸透印では何度も押す必要があった。【解決手段】印面を平面６ではなく、ローラー状の印面２にし回転させることによって、広い範囲を簡単に消すことができる。【選択図】図１
2009119876.tif 000002
【特許請求の範囲】
【請求項１】
スタンプの印面部がローラーとなっており回転することを特徴とする浸透印・ゴム印。
【請求項２】
スタンプの印字形成したゴムをローラーに貼り回転させることを特徴とする請求項１記載の浸透印・ゴム印。
【発明の詳細な説明】
【技術分野】
【０００１】  この発明は、浸透印・ゴム印の印面の形状に関する。
【背景技術】
【０００２】  従来の浸透印・ゴム印の形状は、図３に示すように、スタンプの印面部分は平面又は、なだらかな曲面である。
【発明の開示】
【発明が解決しようとする課題】
【０００３】しかしながら、以上の技術によれば、浸透印・ゴム印を連続で使用する場合、途切れないように注意しながら必要な分だけ数回押す必要があった。  そこで、この発明は、連続で押す必要のない簡単な浸透印・ゴム印を提供することを課題とする。
【課題を解決するための手段】
【０００４】  以上の課題を解決するために、第一発明は、インクの浸透するスポンジ及び印面の形状を丸くローラー状にすることを特徴とする浸透印である。
また、第二発明は、印字形成したゴムをローラーに貼ることを特徴とするゴム印である。
【発明の効果】
【０００５】  第一発明、または第二発明によれば、面積の広い部分に浸透印・ゴム印を押す場合に連続で何度も押す必要がなくなり、手間をかけず簡単に使用する事ができる。
【発明を実施するための最良の形態】
【０００６】  この発明の一実施形態を、図１に示す。
浸透印の本体１はプラスチック製であり、この本体１の下部に平面の浸透するスポンジ及び印面６が一体的に設けられている。この６の部分に変わり、平面ではなく丸くローラー状にした浸透するスポンジ及び印面２を設け、それを一体にしたものである。【０００７】「実施形態の効果」
この実施形態によれば、長い面積の部分にスタンプを押す必要がある場合、形状６の時みたいに何度も押す必要はなく、２のローラーを転がすのみとなり、手間が省ける。【０００８】「他の実施形態」
図１の実施形態では、２のローラー自体が浸透印となっていますが、他の実施形態では、ローラー自体はプラスチックでも木材でもよく、ローラーの表面にプラスチック製・ゴム製などの印字形成した物を貼ったものでも良い。
【図面の簡単な説明】
【０００９】
【図１】この発明の一実施形態を示す側面図である。
【図２】ローラ部の取付例を示す側面図である。
【図３】ローラーの形態を示す斜視図である。
【図４】従来技術を示す側面図である。
【符号の説明】
【００１０】  ［図１］この発明の一実施形態を示す側面図である。
１  スタンプ本体            ２  ローラー浸透スポンジ及び印面
３  キャップ                ４  ローラー固定キャップ
５  固定ネジ                ６  平面浸透スポンジ及び印面
【図１】
2009119876.tif 000003
【図２】
2009119876.tif 000004
【図３】
2009119876.tif 000005
【図４】
2009119876.tif 000006
(57)【要約】【課題】  衣類についた糸クズ、ホコリやテ−ブル、床に落ちた小さなゴミを取る用具を提供する。【解決手段】  台紙の表半分を手袋状にし、裏面の半分に粘着剤を施した、糸クズ、ゴミ取り用具。【選択図】図１
2009119221.tif 000002
【特許請求の範囲】
【請求項１】
台紙の表面半分に手袋状の袋部を設け、裏面半分に粘着剤を施し仕切り線から二つ折りにしたゴミ取り用具。
【発明の詳細な説明】
【技術分野】
【０００１】  本発明は、ポケットやバッグに入れておいて必要な時に取り出して衣類に付いた糸クズ、テ−ブル、床にある小さなホコリやゴミを簡単に取るゴミ取り用具である。
【背景技術】
【０００２】  従来、ホコリやゴミを取り去るのには掃除機を使用していた。
【発明の開示】
【発明が解決しようとする課題】
【０００３】  そのために、次のような問題点があった。
式場、会場で礼服やドレスに付いた糸クズやゴミを取り除いた後始末、又訪問先で子供がお菓子のクズをこぼして大変気をつかった。
本発明は以上の問題点を解決しようとするものである
【課題を解決するための手段】
【０００４】  上記の問題点を解決するため本発明は、台紙の表面半分に手袋状の袋部を設け、裏面半分に粘着剤を施し仕切り線から二つ折りにした、ゴミ取り用具である。
【発明の効果】
【０００５】  本発明は、台紙の表面の上半分を二重にして指が入るように仕切り、裏面の上半分に粘着剤を施して、糸クズやホコリ、小さなゴミを粘着剤力で取ることが出来、パッケ−ジに数枚入れて一組とすればコンパクトになり、ポケットやバックに入れて歩くのに便利である。
【発明を実施するための最良の形態】
【０００６】以下、本発明の実施の形態を説明する。
（イ）台紙（２）の表面上半分を袋部（３）にする。
（ロ）袋部（３）に仕切り（４）を施す。
（ハ）台紙（２）の上下中央に折り線（５）を施す。
（ニ）台紙（２）の裏面上半分に粘着剤（６）を施す。
（ホ）台紙（２）を折り線（５）にそって粘着剤（６）の上に折り重ねる。
本発明は、以上の構成よりなっていてこれを使用するときは先ず、パッケ−ジ（８）からポケットチリトリ（１）を一枚取り出して袋部（３）に指を入れ、仕切り（４）を指ではさみ、ポケットチリトリ（１）を持ちまして粘着剤（６）を保護している台紙（２）を剥がして、親指で手に固定し、糸クズ、ゴミ、ホコリ等に粘着剤（６）を押しあてて取る、少量であれば折り線（５）のところでまた台紙（２）を粘着剤（６）の上に重ねれば再利用出来る。
【図面の簡単な説明】
【０００７】
【図１】本発明の斜視図
【図２】本発明の分解斜視図
【図３】本発明の使用状態を示す斜視図
【符号の説明】
【０００８】  １  ポケットチリトリ
２  台紙
３  袋部
４  仕切り
５  折り線
６  粘着剤
７  手
８  パッケ−ジ
【図１】
2009119221.tif 000003
【図２】
2009119221.tif 000004
【図３】
2009119221.tif 000005
(57)【要約】      （修正有）【課題】靴下の着脱を容易にすることができる着脱具の提供。【解決手段】約５０ｃｍの柄１の先に二股のフック支持部１−２を取り付け、二つの先端に球状のフック部１−２−１、１−２−２を取り付け、更に柄の先にフック部１−３を取り付けて３個のフック部を三角形状に位置させて、これに靴下の開口部を外側に折り返した部分に外側から差し込んで立体的に靴下の開口部を開き履きやすくする。更に靴下を履いた後に靴下の開口部を整えるずり上げ用フック部１−４と靴下を脱ぐ際に使用するずり下げ用フック部１−５を取り付ける。【選択図】図１
2009119225.tif 000002
【特許請求の範囲】
【請求項１】
約５０ｃｍの柄の先に靴下の開口部を外側に折り返した部分に差し込む３点以上のフック部を取り付けた靴下脱着具
【請求項２】
約５０ｃｍの柄の先に二股のフック支持部を取り付け、この二股支持部の先端と柄の先端に靴下の開口部を外側に折り返した部分に差し込む３ケ所のフック部を取り付け、更に柄の先にずり上げ用フック部とずり下げ用フック部を取り付けた靴下脱着具
【発明の詳細な説明】
【発明の詳細な説明】
【技術分野】
【０００１】この発明は靴下の脱着具に関するものである。
【背景技術】
【０００２】股関節、膝の障害や足の骨折などで靴下の脱着を自分で出来なくなる場合がある。この靴下の脱着を容易にする提案は、特開２０００−２７０９９６、特開２００４−９７２４５、特開２００４−１０５２９２、特開２００７−１２５３２６等がある。
【発明の開示】
【発明が解決しようとする課題】
【０００３】従来の提案は機能的に不十分な点があり、構造も不完全で広く普及するに至っていない。例えば特開２０００−２７０９９６は取り付け部の外側から靴下を覆って取り付ける方法のため、取り付けに足が触れて使い難く、靴下が外れやすい。また二股の柄をスプリングバックの力で開く方法であるが、靴下の開口部は伸縮性があるのでスプリング力はなくとも良い。長い二股の柄もなくとも良い。
【課題を解決するための手段】
【０００４】本発明は約５０ｃｍの柄の先に靴下の開口部を外側に折り返して、この折り返し部分に外側から差し込んで取り付ける３ケ所以上のフック部を設けることにより、足を入れ易くするものである。更に履いた靴下を上にずり上げて整えるフック部を設け、靴下を脱ぐ際にずり下げるフック部を設ける。
【発明の効果】
【０００５】前述のような手段により構成した本発明は靴下の開口部を外側に折り返して、この折り返し部分の外側から３ケ所のフック部を差し込んで取り付けることにより、靴下の開口部を立体的に開いて足を入れてスムースに履くことが出来る。特開２０００−２７０９９６と異なり、フック部は靴下の外側であり、足にフック部が触れることがない。更に履いた靴下をずり上げ用フック部により、上にずり上げて整えることが出来る。靴下を脱ぐ際はずり下げ用フック部により、下にずり下げて脱ぐことが出来る。靴下を取り付けるフック部は１本の柄の先端に取り付ける方法でシンプルである。以上により、本発明は従来方式に比べてシンプルな構造で使い勝手が良い方法である。本発明は発明者自らの足の負傷により靴下の脱着が出来なくなった為、考案試作を繰り返して仕上げたものである。入院先のリハビリの専門家からも好評を得ている。
【発明を達成するための最良の形態】
【０００６】本発明の構成を図によって説明する。図１は本発明の構成を示すもので、靴下脱着具１は柄１−１、二股フック支持部１−２、フック部１−２−１、フック部１−２−２、フック部１−３、ずり上げ用フック部１−４、ずり上げ用フック部１−５によって構成する。柄１−１は約５０ｃｍの木製、プラスチック製などの棒である。二股フック支持部１−２は十分な剛性を有する金属棒などを折り曲げて構成し、先端は折り曲げ、これにプラスチック製などの球状のフック部１−２−１、フック部１−２−２を取り付ける。球状のフック部は直径約９ｍｍである。フック部１−２−１、フック部１−２−２、フック部１−３の３点は正三角形に近い形の頂点に位置し、三角形の一辺は約１０ｃｍである。フック部１−３は金属板またはプラスチックを折り曲げて構成する。ずり上げ用フック部１−４、ずり下げ用フック部１−５は一枚の金属板またはプラスチック板を折り曲げて片端をずり上げ用フック部１−４、片端をずり下げ用フック部１−５に構成する。以上の構成はフック部を３点で構成しているが３点以上のフック部の構成でも良い。左右に２点ずつのフック部を設けて４点の構成にしても良い。また左右に板状、棒状のフック部を構成しても良い。棒状や板状のフック部は結果的に角の４点支持となり、四角形の開口部となる。図２は本発明の使用例を示す図である。靴下２は開口部２−１を外側に折り返して広げ、フック部１−２−１、フック部１−２−２、フック部１−３を差し込んで取り付け、足を入れる。図３は靴下２を履いた後に、開口部２−１の折り返し部分をずり上げ用フック部１−４で上にずり上げて整える状態を示した図である。図４は靴下を脱ぐ際にずり下げ用フック部１−５により、下にずり下げる状態を示した図である。変形例としては二股フック支持部１−２を折り畳み式や組立式、差し込み式にして運搬を改善する方法も出来る。二股フック支持部１−２はサイズフリーに変形出来るようにしても良い。
【図面の簡単な説明】
【０００７】
【図１】本発明の実施例の形態に従った一実施例の斜視図である。
【図２】本発明の使用例を示す図である。
【図３】本発明の使用例を示す図である。
【図４】本発明の使用例を示す図である。
【符号の説明】
１：靴下脱着具
１−１：柄
１−２：二股フック部
１−２−１：フック部
１−２−２：フック部
１−３：フック部
１−４：ずり上げ用フック部
１−５：ずり上げ用フック部
【図１】
2009119225.tif 000003
【図２】
2009119225.tif 000004
【図３】
2009119225.tif 000005
【図４】
2009119225.tif 000006
(57)【要約】【課題】  ゴルフ手袋をはめてグリップを握った際、中指袋、薬指袋、小指袋の各指袋の第２関節部と第３関節部間付近（人差指袋と反対側寄りの箇所）に隙間ができていた。その隙間を埋めたゴルフ手袋を提供する。【解決手段】  ゴルフ手袋の掌部の内面の第２関節部と第３関節部間付近の人差指袋と反対側寄りの箇所に、弾性、柔軟性に優れた素材の突起物を設けたことを特徴とするゴルフ手袋。【選択図】図１
2009119224.tif 000002
【特許請求の範囲】
【請求項１】
ゴルフ手袋の掌部の内面の第２関節部と第３関節部間付近の人差指袋と反対側寄りの箇所に、弾性、柔軟性に優れた素材の突起物を設けたことを特徴とするゴルフ手袋。
【発明の詳細な説明】
【技術分野】
【０００１】  本発明は、ゴルフ手袋をはめてグリップを握った際、中指袋、薬指袋、小指袋の各指袋の第２関節部と第３関節部間付近（人差指袋と反対側寄りの箇所）に隙間ができていた。その隙間を埋めたゴルフ手袋に関するものである。
【背景技術】
【０００２】  従来、ゴルフ手袋をはめてゴルフをする際は、グリップとゴルフ手袋の各指袋に隙間ができていた。特に握るために重要な中指袋、薬指袋、小指袋の各各の第２関節部と第３関節部間付近の人差指袋と反対側寄りの箇所に隙間ができたままゴルフをしていた。
先行技術として、手袋の手のひら部の内側全面に突起を接着している考案が知られている（特許文献１）。
また、グリップが当たる手袋本体の裏面側に小突起を付着させた発明も知られている。（特許文献２）。
さらに、人差指と中指を除いた掌部表面に無数の粒状小突起を形成している考案も知られている（特許文献３）。
【特許文献１】実開平０６−１７７７５号公報
【特許文献２】特開平１１−１０４２８７号公報
【特許文献３】実開昭４９−９９３７５号公報
【発明の開示】
【発明が解決しようとする課題】
【０００３】  そのために、次のような問題点があった。
（イ）手袋の手のひらの内側全面に突起を接着する考案（実開平０６−１７７７５号公報）、また、グリップが当たる手袋本体の裏面側に小突起を付着する発明（特開平１１−１０４２８７号公報）、さらに、人差指と中指を除いた掌部表面に無数の粒状小突起を形成する考案（実開昭４９−９９３７５号公報）等は、全て手のひらと手袋及び手袋とグリップの滑り止め効果を考えたものであり、グリップを握った際にグリップと手袋掌部の各指袋の第２関節部と第３関節部間付近にできる隙間を埋めるための突起物を設けたものではない。
（ロ）手袋の各指袋の第２関節部と第３関節部間付近に隙間ができることは、グリップを握るフィット感を欠いており、そのためスイングした際、遠心力が加わり握ったクラブが手から離れようとする作用が増大していた。また、打球の方向性及び飛距離にも影響していた。
（ハ）隙間があるために握力がグリップに伝わる度合を欠いており、ラフ及びバンカー等からボールを打った際、手に伝わる衝撃が増大していた。
本発明は、これらの問題点を解決するためになされたものである。
【課題を解決するための手段】
【０００４】  ゴルフ手袋の掌部の内面の第２関節部と第３関節部間付近の人差指袋と反対側寄りの箇所に、弾性、柔軟性に優れた素材の突起物を設けた。以上を特徴とするゴルフ手袋である。
【発明の効果】
【０００５】  本発明は、突起物で指袋とグリップの隙間を埋めることによって、グリップを安定して握るために重要な役割を持っている中指、薬指、小指の各指がグリップに対して接触面積が広がり、グリップ力がアップし、グリップを握った安定感及びフィット感も増し、打球の方向性も一定して飛距離もアップする。また、スイングした際、クラブに遠心力が働いても突起物がストッパーの役目をする。そして、ラフ及びバンカーにはまったボールを打った際の大きな衝撃も軽減される。
【発明を実施するための最良の形態】
【０００６】  以下、本発明の実施の形態について説明する。
（イ）ゴルフ手袋（１）の掌部主材料内面の中指袋（２）、薬指袋（３）、小指袋（４）の各指袋の第２関節部と第３関節部間付近（人差指袋（５）と反対側寄りの箇所）に突起物（６）を付着、または、縫合する。
突起物（６）は弾性、柔軟性に優れたゴム、シリコーン、ポリウレタン樹脂等、または、柔軟性に優れた生地等の材料が望ましい。
突起物（６）の大きさは縦約１０ｍｍ、横約８ｍｍで、人差指袋（５）と反対側の端方向に厚みを増す形状が望ましい。
（ロ）ゴルフ手袋（１）の掌部主材料内面の指定箇所に突起物（６）を付着、または、縫合した後、ゴルフ手袋（１）に縫合する。
本発明は以上の構成からなるもので、本発明を使用するときは、従来のゴルフ手袋と同様に使用する。
【図面の簡単な説明】
【０００７】
【図１】本発明の斜視図
【図２】本発明をグリップした際のＡ−Ａの拡大断面図
【符号の説明】
【０００８】１    ゴルフ手袋
２    中指袋
３    薬指袋
４    小指袋
５    人差指袋
６    突起物
７    中指
８    薬指
９    小指
１０  グリップ
【図１】
2009119224.tif 000003
【図２】
2009119224.tif 000004
(57)【要約】【課題】  ロウソクが倒れたら炎が消火物体により炎が消えるロウソクを提供する。【解決手段】  ロウソク本体（１）の芯（２）に消火物体（４）を設けたことを特徴とする。【選択図】図１
2009119229.tif 000002
【特許請求の範囲】
【請求項１】
ロウソク本体（１）の芯（２）に消火物体（４）を設け、倒れたら炎（３）が消えるロウソク。
【発明の詳細な説明】
【技術分野】
【０００１】  この発明はロウソクが倒れたら炎が消えるロウソクに関するものである。
【背景技術】
【０００２】  従来のロウソクは、地震や衝撃によって、ロウソクが転倒して火災が発生して人命．財産．文化財などを消失してしまった。
【発明の開示】
【発明が解決しようとする課題】
【０００３】  これは、次のような欠点があった。
従来のロウソクは倒れたらロウソクが溶けてロウソクの回りが燃えて火災になった。本発明は以上のような欠点をなくすためになされたものである。
【課題を解決するための手段】
【０００４】  ロウソク本体（１）の芯（２）に消火物体（４）を設ける。
本発明は以上の構成よりなる倒れたら炎が消えるロウソクである。
【発明の効果】
【０００５】  昔ながらのロウソクの形状を崩さずロウソク本体の芯は、消火物体を設ける。このような構成だから地震．衝撃で倒れてもロウソクの炎が消火物体で消えて火災発生を未然に防ぐ事ができ、毎日安心して使用できる。
【発明を実施するための最良の形態】
【０００６】  以上、本発明を実施するための最良の形態について説明する。
ロウソク本体（１）の芯（２）に穴のあいた消火物体（４）を設けて、ロウソク本体（１）が倒れ図２に示すように消火物体（４）が芯（２）から抜け落ち炎（３）を消火する。消えたロウソクの芯（２）に再び消火物体をつけることにより再使用できる。尚、本発明の消火物体（４）は、固体で燃えないものであれば良い。
【図面の簡単な説明】
【０００７】
【図１】  本発明の斜視図である。
【図２】  本発明の倒れたロウソクの斜視図である。
【符号の説明】
【０００８】１  ロウソク本体
２  芯
３  炎
４  消火物体
【図１】
2009119229.tif 000003
【図２】
2009119229.tif 000004
(57)【要約】【課題】  ゴルフをする際グリップをゴルフ手袋をはめた手で握り、次に素手でゴルフ手袋をはめた指部の一部分、主として親指部を上から覆うように添える。そして、球を打った瞬間の衝撃でゴルフ手袋をはめた親指部は素手の手のひら部で押えているため、セットした位置はずれることはないが、素手の親指部はセットした位置からずれを生じてクラブヘッドがぶれる一因になっていた。その親指部のずれを生じさせないようにしたゴルフ用品を提供する。【解決手段】  丈夫で柔軟性に優れた長尺帯状のバンド本体の両端部付近に面を違えた箇所に面ファスナー、ホック、スナップ等を設けることによって、バンド本体が輪状になるよう接続部を設けたことを特徴とするゴルフ用品。【選択図】図１
2009119223.tif 000002
【特許請求の範囲】
【請求項１】
丈夫で柔軟性に優れた長尺帯状のバンド本体の両端部付近に面を違えた箇所に面ファスナー、ホック、スナップ等を設けることによって、バンド本体が輪状になるよう接続部を設けたことを特徴とするゴルフ用品。
【請求項２】
バンド本体の片方先端部付近の接続部が外側になるように折り返し、人差指を挿入する箇所に縫合したことを特徴とする請求項１のゴルフ用品。
【発明の詳細な説明】
【技術分野】
【０００１】  本発明は、ゴルフをする際グリップをゴルフ手袋をはめた手で握り、次に素手でゴルフ手袋をはめた指部の一部分、主として親指部を上から覆うように添える。そして、球を打った瞬間の衝撃でゴルフ手袋をはめた親指部は素手の手のひら部で押えているため、セットした位置はずれることはないが、素手の親指部はセットした位置からずれを生じてクラブヘッドがぶれる一因になっていた。その親指部のずれを生じさせないようにしたゴルフ用品に関するものである。
【背景技術】
【０００２】  従来、ゴルフをする際パターを使用する時以外は、殆ど片手にゴルフ手袋をはめて、もう片方の手は素手でゴルフ手袋をはめた指部の一部分、主として親指部を上から覆うようにグリップを握り補助していた。また、余程寒い時には両手にゴルフ手袋をはめてプレーすることも稀にあった。
【発明の開示】
【発明が解決しようとする課題】
【０００３】  そのために、次のような問題点があった。
（イ）ゴルフ手袋をはめた方の親指部は上から素手の手のひら部で覆い固定、補助しているため、グリップ面に安定して接しているので球を打った瞬間の衝撃でセットした親指部の位置がずれることはなかったが、素手の親指部はセットした位置からずれ、グリップを握った安定性を瞬間欠き、打球の方向性及び飛距離に影響していた。
（ロ）打った瞬間にグリップの握りに安定性を欠けば、ラフ及びバンカーに沈んだ球を打った衝撃が一段と増大して腕、手等に伝わっていた。
また、クラブヘッドのぶれを気にすることで、素手で握る手もより一層強く握る傾向があったため腕に力が入りスイングに安定性を欠いていた。
（ハ）グリップを握った時、素手の親指部と人差指部の股間部にできるＶ字形状の間隔を一定に保つために双方の指に力が入っていたので、グリップを握る安定性を欠いていた。
本発明は、以上の問題点を解決するためになされたものである。
【課題を解決するための手段】
【０００４】  丈夫で柔軟性に優れた長尺帯状のバンド本体の両端部付近に面を違えた箇所に面ファスナー、ホック、スナップ等を設けることによって、バンド本体が輪状になるよう接続部を設けた。以上を特徴とするゴルフ用品である。
【発明の効果】
【０００５】  本発明は、素手でグリップを握った親指部と人差指部がバンドを介して、互に引張り合う力が生れることで双方の指部を固定することができるため、球を打った瞬間の衝撃があっても、素手の親指部はセットした位置からずれることなく安定性を損わない。また、打球の方向性も安定し飛距離も増す。そして、ラフ及びバンカーに沈んだ球を打った瞬間の強い衝撃も軽減されえる。
さらに、クラブヘッドのぶれを無くすために素手の方も強く握りがちであったが、親指部と人差指部で引張りあった状態になったバンドは強くグリップ面に押しつけられ、また、グリップに接する面積も増え、握りを補助する役目をするためグリップを強力に握る必要もなく安定したスイングができ、しかも、親指部と人差指部の股間部にできるＶ字形状の間隔を常時一定にするため、グリップの握りも安定する。
【発明を実施するための最良の形態】
【０００６】  以下、本発明の第一の実施の形態を説明する。
（イ）生地、皮革、合成皮革等で長尺帯状のバンド本体（１）を形成する。
バンド本体（１）は薄くて丈夫で柔軟性に優れた素材が望ましい。
バンド本体（１）の幅は約２０ｍｍ〜２５ｍｍ位で、長さは個人個人の手のサイズが異なるため、長さの異なるものを数種類作ることが望ましい。
（ロ）バンド本体（１）の両端付近に面を違えた箇所に接続部（２）を設け、両端部を接続すれば輪状になるようにする。
接続手段として面ファスナー（３）、ホック、スナップ等を縫合、または、取り付ける。
（ハ）バンド本体（１）を補強するために、前記バンド本体（１）の周縁を縁取り（１１）をするのが望ましい。
本発明は、以上の構成からなるので、本発明を使用するときは、素手の親指部（４）と人差指部（５）の股間部の間隔を個人個人に合わせて、バンド本体（１）を巻き付け接続部（２）を合わせ輪状にして、ゴルフ手袋（６）をはめてグリップ（７）を握った指部の一部分、主として親指部（４）を手のひら部で上から覆うようにして添えてゴルフをする。【０００７】  以下、本発明の第二の実施の形態を説明する。
図３，４で示すように、
（イ）バンド本体（１）の片方先端部付近の指甲部外側にあたる箇所に固定部（８）を設ける。
固定手段として面ファスナー（３）、ホック、スナップ等を縫合、または、取り付ける。
（ロ）固定部（８）を設けた先端部を折り返して、人差指部（５）を挿入するための筒状（９）を縫合して設ける。
筒状（９）は人差指部（５）の第二関節と第三関節間部の周囲より、余裕をもった大きさが望ましい。
（ハ）もう片方の面ファスナー（３）、ホック、スナップ等を設けた先端部を引張り接続片（１０）とする。
本発明は、以上の構成からなるので、本発明を使用するときは、ゴルフ手袋（６）をはめない素手の人差指部（５）を筒状（９）に挿入して、もう片方の先端部の引張り接続片（１０）を親指部（４）の掌部（内側）から甲部（外側）に回して引張り、個人個人のグリップ（７）の握り具合を親指部（４）と人差指部（５）の股間部の間隔に合わせて、固定部（８）に接続してグリップ（７）を握りゴルフをする。
これにより簡単にバンド本体（１）の長さを調節し、セットすることができる。
【図面の簡単な説明】
【０００８】
【図１】本発明の斜視図
【図２】本発明の使用状態を示す斜視図
【図３】本発明の他の実施例の斜視図
【図４】本発明の他の実施例の使用状態を示す斜視図
【符号の説明】
【０００９】１    バンド本体
２    接続部
３    面ファスナー
４    親指部
５    人差指部
６    ゴルフ手袋
７    グリップ
８    固定部
９    筒状
１０  引張り接続片
１１  縁取り
【図１】
2009119223.tif 000003
【図２】
2009119223.tif 000004
【図３】
2009119223.tif 000005
【図４】
2009119223.tif 000006
(57)【要約】      （修正有）【課題】数字や足し算、逆算を視覚的に楽しむことができ、ゲーム途中及び終了までの軌跡を確認できる、幅広い年齢層が取り組める単純かつ「考える力」を育む遊びを提供する。【解決手段】支柱を配置したゲーム盤本体と、支柱に差し入れることができるように穴が開いた、厚さを統一したコマを作成する。プレーヤーは順に、「自分の順番の際に１個又は２個又は３個のコマを差し入れる」というルールに従い、コマを支柱に差し入れていき、支柱に差し入れることができるコマの限度数における最後のコマ（例として、「１０個目」「２０個目」等）を差し入れたプレーヤーを「負け」とする。【選択図】図１
2009119207.tif 000002
【特許請求の範囲】
【請求項１】
支柱を配置したゲーム盤本体と、支柱に差し入れることができるように穴が開いた、厚さを統一したコマから構成され、プレーヤーは順に、「自分の順番の際に１個又は２個又は３個のコマを差し入れる」というルールに従い、コマを支柱に差し入れていき、支柱に差し入れることができるコマの限度数における最後のコマ（例として、「１０個目」「２０個目」等）を差し入れることとなったプレーヤーを「負け」とするゲーム盤及びその遊び方。
【発明の詳細な説明】
【技術分野】
【０００１】  本発明は、数字や足し算、逆算を視覚的に楽しむことができるゲーム盤及び遊び方に関するものである。
【背景技術】
【０００２】  ハイテク技術によるゲーム機が流布する中、子どもや若者の「考える力」が育まれないことや、遊びを通した世代間の交流が持たれないことが懸念されるため、幅広い年齢層が取り組める単純でかつ頭を使う遊びを提供する必要があると思われる。
【発明の開示】
【発明が解決しようとする課題】
【０００３】  数字や足し算、逆算を視覚的に楽しむことができ、ゲーム途中及び終了までの軌跡を確認できる、単純かつ「考える力」を育む遊びを幅広い年齢層に提供したい。
【課題を解決するための手段】
【０００４】  本発明は、支柱を配置したゲーム盤本体と、支柱に差し入れることができるように穴が開いた、厚さを統一したコマから構成されるものである。【０００５】  プレーヤーは順に、「自分の順番の際に１個又は２個又は３個のコマを差し入れる」というルールに従い、コマを支柱に差し入れていき、支柱に差し入れることができるコマの限度数における最後のコマ（例として、「１０個目」「２０個目」等）を差し入れることとなったプレーヤーを「負け」とする。【０００６】  色又は形が異なるコマを、複数の種類作成することにより、プレーヤー毎に使用するコマを区別できる。ただしこの場合においても、コマの厚さつまり支柱に差し入れた際のコマ１個あたりの高さは統一する。【０００７】  支柱にコマ１個分の高さ毎に目盛りを付すことにより、ゲーム途中において、累積しているコマの数及び今後差し入れることができるコマの数を容易に確認できる。【０００８】  ゲーム盤本体に、高さを同じくした又は高さの異なる複数の支柱を配置することにより、１回のゲームにおいて複数の支柱を連続して使用することができ、コマの限度数つまりゲーム１回あたりの長さを変化させることができる。また、複数の支柱を配置することで、１本のみ支柱を配置した場合に比べ、上に人が倒れた時等の衝撃を緩和でき、事故防止に役立つ。【０００９】  本発明によるゲーム盤は、ゲーム１回あたりの長さを変化させる、あるいはプレーヤーが１回の順番に差し入れるコマの数の制限を変えたルールを設定する等、ルール自体を独自に変化させ、自由な発想で遊ぶことができる。
【発明の効果】
【００１０】  上述したように本発明のゲーム盤は、単純なルールで数字や足し算、逆算を視覚的に楽しむことができるうえ、ゲーム途中及び終了までの軌跡を確認できるとともに、作戦を検討することができ、ルール自体もプレーヤーが独自に変化させることができるため、子どもや若者の「考える力」を育むことができるうえ、幅広い年齢層が取り組めるため、遊びを通した世代間の交流を図ることができる。
【発明を実施するための最良の形態】
【００１１】  以下、本発明の実施の形態を図１に基づいて説明する。【００１２】  図１は高さを同じくした支柱を４本配置したゲーム盤本体及びプレーヤーを最大４人と想定し作成した色が異なる４種類のコマを示すものであり、本発明を実施する一例である。なお、コマは実際には各種毎に必要最大数（支柱に差し入れることができるコマの限度数の合計の４分の３ずつ）以上作成する。【００１３】  図２は図１のうち、支柱の一部分を拡大したものであり、目盛りの付し方の一例を示したものである。
【図面の簡単な説明】
【００１４】
【図１】本発明のゲーム盤の実施例として、高さを同じくした４本の支柱を配置したゲーム盤本体及び色が異なる４種類のコマを示す図である。なお、コマは実際には各種毎に必要最大数（支柱に差し入れることができるコマの限度数の合計の４分の３ずつ）以上作成する。
【図２】図１のうち支柱の一部分を拡大し、目盛りの付し方の一例を示す図である。
【符号の説明】
【００１５】  １  ゲーム盤本体の底板
２  支柱
３  支柱
４  支柱
５  支柱
６  コマ
７  コマ
８  コマ
９  コマ
１０  支柱
【図１】
2009119207.tif 000003
【図２】
2009119207.tif 000004
(57)【要約】【課題】    ＬＥＤライトとゴーグルと鼻酸素マスクと小型酸素ボンベが一体となった機能を持ち、且つそれらが小さな収納ポーチに収まる、携帯式避難用マスクを提供する。【解決手段】  ゴーグルの下部の左右にＬＥＤライトを設け、ゴーグルの下部中央に排気弁付き鼻酸素マスクを接して設け、その接合部に鼻梁を収める接合部切込みを設け、その排気弁付き酸素マスクと小型酸素ボンベを管、ホース、口金で繋げ、それらが収納ポーチに収まることを特徴とする、携帯式避難用マスクである。【選択図】図１
2009119203.tif 000002
【特許請求の範囲】
【請求項１】
小型酸素ボンベが入るゴーグルの下部の左右にＬＥＤライトを設け、そのゴーグルの下部中央に排気弁付き鼻酸素マスクを接して設け、その接合部に鼻梁が収まる接合部切込みを設け、ホースで鼻酸素マスクと小型酸素ボンベを繋ぐことにより携帯化を可能とし、暗闇でも視界を確保し、煙の中でも呼吸を確保できることを特徴とする、携帯式避難用マスク。
【発明の詳細な説明】
【技術分野】
【０００１】  この発明は、ゴーグルにＬＥＤライトと鼻酸素マスクと小型酸素ボンベを組み合わせ、小型酸素ボンベをゴーグル内に収納出来ること、及び酸素マスクを鼻だけを覆うものとすること、さらにＬＥＤライトをゴーグルの下側に設けることで、全体を小さな収納ポーチに収納でき、これらにより携帯化可能を特徴とする、携帯式避難用マスクに関するものである。
【背景技術】
【０００２】    従来、避難用器具として防災頭巾の前面部に透明なガラス又は樹脂を設け、装着部の前を開閉式にした発明が知られている（特許文献１）。
【特許文献１】特許出願２００３−１９０７０６
【発明の開示】
【発明が解決しようとする課題】
【０００３】  これには次のような欠点があった。
目の部分が透明なガラスやビニールで出来た防災頭巾では、吐く息で曇り良く見えない。また頭巾内の空気が酸欠になりやすい。さらに停電の暗闇では避難行動が制される。
本発明は、これらの欠点を除くためになされたものである。
【課題を解決するための手段】
【０００４】  ゴーグルの形状は小型酸素ボンベが入るものとし、そのゴーグルの下部の左右にＬＥＤライトを設け、ゴーグルの下側中央に排気弁付きの鼻だけを覆う鼻酸素マスクをゴーグルに接して設け、その接合部に鼻梁を収納できる接合部切込みを設け、その排気弁付き鼻酸素マスクと小型酸素ボンベを管とホースで繋げる。以上を特徴とする携帯式避難用マスクである。
【発明の効果】
【０００５】    本発明は、ＬＥＤライト、ゴーグル、鼻酸素マスク、が一体形成されているので、まずＬＥＤライトのスイッチを入れ、ゴーグルをかぶり小型酸素ボンベを口金にはめ、プッシュバルブを押せば、鼻酸素マスクから酸素が出て呼吸でき、暗闇でしかも煙の充満した場所であっても、煙も吸わず酸素呼吸が確保され冷静な判断でき、視界もＬＥＤライトで確保され先が見える。また軽いので子供でも使用でき、高層ビルや高層マンションの高層階から、避難階段を通じて速やか且つ冷静に避難することができる。
そして、この機能全体が小さな収納ポーチに収まり携帯性を獲得出来る。この結果、常時携帯が可能となり、超高層ビル、超高層マンション、地下鉄の車中などに持参でき、それらの火災などいざという時に装着すれば、脱出が容易になる。
【発明を実施するための最良の形態】
【０００６】  以下、本発明の実施形態について説明する。
（イ）  小型酸素ボンベが入る、略楕円形状のガラス又は樹脂からなる透明材の前面部（１ａ）と、前面部周囲に側壁部（１ｂ）を儲け、背面は開口部（１ｃ）とするゴーグル（１）の下部の左右にＬＥＤライト留め具（３）を設け、そこにＬＥＤライト（４）を設ける。
（ロ）  ゴーグル（１）の下部の中央に接して鼻酸素マスク（５）を設け、その背面を開口部（５ａ）とし、ゴーグル（１）と鼻酸素マスク（５）の接合部に鼻梁を収める接合部切込み（６）を設け、鼻酸素マスク（５）の両側に２つの穴を設け、１つの穴（８ａ）には排気弁（７）を連結し、他方の穴（８ｂ）には管（９）を連結し、その管（９）にホース（１１）を連結し、そのホース（１１）をプッシュバルブ（１２）と口金（１３）に連結し、口金（１３）に小型酸素ボンベ（１４）をはめ込む。ゴーグル（１）と鼻酸素マスク（５）の各開口部（１ｃ）（５ａ）の縁には、スポンジやゴムなどの弾性体（１０）を設け、ゴーグル（１）の両脇にベルト（２）を設ける。
本発明は、以上のような構造でこれを使用するときは、ＬＥＤライト（４）を点け、携帯式避難用マスクを装着し、小型酸素ボンベ（１４）を口金（１３）にはめ、プッシュバルブ（１２）を押せば、呼吸は酸素で確保され周りの煙も吸わないので冷静さが保たれ、また、ＬＥＤライトの明かりで停電などにより暗くなった場所でも先が見えるので、冷静かつ確実に避難行動ができる。
【図面の簡単な説明】
【０００７】
【図１】  本発明の斜視図
【図２】  本発明の背面からの分解図
【図３】  本発明の収納状況を示す一部断面背面図
【符号の説明】
【０００８】１    ゴーグル
１ａ  前面部
１ｂ  側壁部
１ｃ  開口部
２    ベルト
３    ＬＥＤライト留め具
４    ＬＥＤライト
５    鼻酸素マスク
５ａ  開口部
６    接合部切込み
７    排気弁
８ａ  穴
８ｂ  穴
９    管
１０  弾性体
１１  ホース
１２  プッシュバルブ
１３  口金
１４  小型酸素ボンベ
１５  収納ポーチ
【図１】
2009119203.tif 000003
【図２】
2009119203.tif 000004
【図３】
2009119203.tif 000005
(57)【要約】【課題】  まな板の辺に磁石を設け、複数枚のまな板を平面状に広げる事を提供する。【解決手段】  四角形のまな板の四辺に沿って、磁石をまな板の各辺に埋め込み辺を平らにし、分離可能にしたまな板どうしを、複数枚使用して平面状に広げる。【選択図】図１
2009119202.tif 000002
【特許請求の範囲】
【請求項１】
四角形のまな板（１）の四辺（Ａ，Ｂ，Ｃ，Ｄ）に沿って、各一辺に細長い磁石（３）をまな板の各辺に埋め込んで、まな板の辺を平らにする事を特徴とするまな板。
【請求項２】
「請求項１」の辺の細長い磁石（３）を被覆（５）するまな板。
【請求項３】
四角形のまな板（１）の四辺（Ａ，Ｂ，Ｃ，Ｄ）に沿って、各一辺に小さい磁石（４）をまな板の各辺に複数埋め込んで、まな板の辺を平らにする事を特徴とするまな板。
【請求項４】
「請求項３」の辺の小さい磁石（４）を被覆（５）するまな板。
【発明の詳細な説明】
【技術分野】
【０００１】  本考案は、まな板に関するものである。
【背景技術】
【０００２】  従来は、木製や合成樹脂のまな板が知られているが、磁石を利用して複数枚のまな板どうしを着脱可能にし、広げるものはなかった。【０００３】  「文献１」のような、複数枚のまな板を折りたたんで広げるものはあった。
【特許文献１】特開平１１−２６７０４９号公報
【発明の開示】
【発明が解決しようとする課題】
【０００４】  解決しようとする問題点は、木製や合成樹脂のまな板どうしを複数枚並べて、調理していると隙間ができる事であった。【０００５】  そのために、まな板の各辺に磁石を用いた。
【課題を解決するための手段】
【０００６】  上記の課題を解決するため、四角形のまな板（１）の四辺（Ａ，Ｂ，Ｃ，Ｄ）に沿って、各一辺に細長い磁石（３）をまな板の各辺に埋め込んで、まな板の各辺の面を平らにし、まな板どうしを磁石で引き合わせ、分離可能にし平面状に広げる形にした。【０００７】  また、四角形のまな板（１）の四辺（Ａ，Ｂ，Ｃ，Ｄ）に沿って、各一辺に小さい磁石（４）をまな板の各辺に複数埋め込んで、まな板の辺の面を平らにし、まな板どうしを磁石で引き合わせ、分離可能にし平面状に広げる形にした。
【発明の効果】
【０００８】  複数枚のまな板どうしが、細長い磁石で引き合うため平面状に大きく広げる事ができる。【０００９】  図４のような、まな板の各辺に埋め込む小さい磁石（４）を複数設け、小さい磁石の間隔と大きさを同じにすれば、まな板どうしをずらして広げたり、まな板どうしを縦や横にしたり使用できる。【００１０】  まな板を小分けにできるため、運搬や保管、洗浄等の取り扱いが楽である。
【発明を実施するための最良の形態】
【００１１】  四角形のまな板（１）の四辺（Ａ，Ｂ，Ｃ，Ｄ）に沿って、各一辺に細長い磁石（３）をまな板の各辺に埋め込んで、まな板の各辺を平らにし磁石で引き合わせ、まな板どうしを分離可能にし、同じまな板を複数枚使用し、平面状に広げるまな板。
【実施例】
【００１２】  まな板に埋め込む磁石は、必要に応じてまな板の四辺から一辺でもよい。【００１３】  まな板に埋め込む磁石は、磁石どうしでなく磁石と磁石で引き合う事ができる金属でもよい。【００１４】  まな板の辺に埋め込む磁石は、露出せずに磁石で引き合う事ができる位の、被覆（５）でおおって隠してもよい。【００１５】  まな板は、磁石で引き合うため多少の厚さや大きさの違うまな板どうしでもよい。【００１６】  図４のように、まな板の各辺に埋め込む小さい磁石（４）は、同じ辺に同じ極にそろえる。【００１７】  図４のように、まな板の各辺に埋め込む小さい磁石（４）は、例えば（Ａ，Ｂ）の辺をＮ極とし（Ｃ，Ｄ）の辺をＳ極のように二辺を二極づつにする。【００１８】  図４のような小さい磁石の形は、磁石で引き合う強さがあれば四角形や円形、三角形等どのような形や大きさでもよい。【００１９】  図６のように、接続具（６）や接続受け（７）を、一ヶ所から数ヶ所設け、接続具と接続受けはどのような形でもよく、しっかりと留まればよい。ただし、洗浄がむずかしい。
【産業上の利用可能性】
【００２０】  本考案のまな板は、平面状に広がるため、マグロの解体に使用したり、麺をのしたり、大量の食材を調理する時、又は大量のパンやお菓子作りなど、食材の量にあわせてまな板を増減して広げる事ができる。【００２１】  野外活動等の模様し等で、大きなまな板を持ち合わせる事等より、多人数が持ち寄る事で経済的負担を軽減する事ができる。
【図面の簡単な説明】
【００２２】
【図１】四角形のまな板の各辺に、細長い磁石を埋め込んだ例の斜視図である。
【図２】四角形のまな板の各辺に、細長い磁石を埋め込んだ例の上面図である。
【図３】図２に被覆を設けた断面図である。
【図４】四角形のまな板の各辺に、小さい磁石を複数埋め込んだ例の斜視図である。
【図５】図３の上面図である。
【図６】四角形のまな板の各辺に、小さい磁石を複数埋め込み、接続具と接続受けを設けた一例の斜視図である。
【符号の説明】
【００２３】  Ａ，Ｂ，Ｃ，Ｄ  まな板の四辺
１  まな板
３  細長い磁石
４  小さい磁石
５  被覆
６  接続具
７  接続受け
【図１】
2009119202.tif 000003
【図２】
2009119202.tif 000004
【図３】
2009119202.tif 000005
【図４】
2009119202.tif 000006
【図５】
2009119202.tif 000007
【図６】
2009119202.tif 000008
(57)【要約】【課題】備前焼から発生する遠赤外線を初めとした未知の放射線の、様々な液体や生命体に対する良好な作用は従来から知られていたが、その作用を化粧品に活用する方法としては、容器としての備前焼に液体を封入・保存する方法でしか活用され得なかった。しかしながら、以上の技術によれば、大量かつ規格的に備前焼容器を製造することは甚だ困難であり、また、携帯性・耐衝撃性を鑑みても実用的ではない。【解決手段】プラスチック等の合成樹脂あるいは金属で作られた容器本体１内に、焼き締めた備前焼片を配置する。例えばこの備前焼片は、球状に焼き締められた備前焼片２である。【選択図】図１
2009119213.tif 000002
【特許請求の範囲】
【請求項１】
容器内に、焼き締めた備前焼片を配置したことを特徴とする化粧品容器。
【請求項２】
前記焼き締めた備前焼片は、球状に焼き締めたことを特徴とする請求項１記載の化粧品容器。
【発明の詳細な説明】
【技術分野】
【０００１】この発明は、化粧水等化粧品の封入・保存・携帯等に用いる容器の工夫に関する。
【背景技術】
【０００２】備前焼から発生する遠赤外線を初めとした未知の放射線の、様々な液体や生命体に対する良好な作用は従来から知られていたが、その作用を化粧品に活用する方法としては、図２に示すように、容器としての備前焼に液体を封入・保存する方法でしか活用され得なかった。
【発明の開示】
【発明が解決しようとする課題】
【０００３】しかしながら、以上の技術によれば、大量かつ規格的に容器としての備前焼を製造することは甚だ困難であり、また、携帯性・耐衝撃性を鑑みても実用的ではない。
そこで、この発明は、実用的に備前焼の作用を活用した化粧水等用化粧品容器を提供することを課題とする。
【課題を解決するための手段】
【０００４】以上の課題を解決するために、第一発明は、プラスチック等の合成樹脂あるいは金属で作られた容器内に、焼き締めた備前焼片を配置したことを特徴とする化粧品容器である。また、第二発明は、プラスチック等の合成樹脂あるいは金属で作られた容器内に、焼き締めた備前焼片を配置し、この備前焼片は球状に焼き締めたことを特徴とする化粧品容器である。
【発明の効果】
【０００５】第一発明、または第二発明によれば、プラスチック等の合成樹脂あるいは金属で作られた容器内に焼き締めた備前焼片を配置したことにより、大量かつ規格的に製造することが可能になり、携帯性・耐衝撃性にも優れた化粧品容器となる。
【発明を実施するための最良の形態】
【０００６】この発明の一実施形態を、図１に示す。
容器の本体１はプラスチックで作られたものであり、この本体１の中の内容物（化粧水等）中に、球状に焼き締めた備前焼片２が沈められている。【０００７】「実施形態の効果」
この実施形態によれば、本体１は大量かつ規格的に製造でき、内容物の定量性を確保できるとともに、携帯性・耐衝撃性も確保できる。内容物と、球状に焼き締めた備前焼片２とは常に接しているため、備前焼の、内容物に対する良好な作用も確保できる。容器を振ることにより内容物を攪拌する効果も得られる。【０００８】「他の実施形態」
図１の実施形態では、配置する備前焼は球状に焼き締めたものであるが、他の実施形態では、他の形（立方体あるいは不定形）に焼き締めたものでも良い。
【図面の簡単な説明】
【０００９】
【図１】この発明の一実施形態を示す斜視図である。
【図２】従来技術を示す斜視図である。
【符号の説明】
【００１０】１  化粧品容器本体            ２  焼き締めた備前焼片
【図１】
2009119213.tif 000003
【図２】
2009119213.tif 000004